(57)【要約】【課題】パチンコ台を固持するためにその後部側に固定して取り付けられるパチンコ台枠の上枠及び下枠を、パチンコ島の上部横木及び下部横木に簡単容易に前後方向に移動及び傾斜角度を調整可能に固定することのできるパチンコ台枠固定装置を提供する。【解決手段】パチンコ台枠の上枠をパチンコ島の上部横木に取り付けて固定する上枠固定装置１１と、パチンコ台枠の下枠をパチンコ島の下部横木に取り付けて固定する下枠固定装置２１とから構成されるパチンコ台枠固定装置において、前記上枠固定装置１１は、上部固定取付盤１２と、上部スライド盤１３と、上枠固定枠１４と、上枠固定操作レバー１５と、係合押圧板１６とを少なくとも備え、前記下枠固定装置２１は、下部固定取付盤２２と、下部スライド盤２３と、下枠固定爪盤２４と、下枠固定操作レバー２５とを少なくとも備えた。【選択図】        図１
2010005300.tif 000002
【特許請求の範囲】
【請求項１】
パチンコ台枠の上枠をパチンコ島の上部横木に取り付けて固定する上枠固定装置と、パチンコ台枠の下枠をパチンコ島の下部横木に取り付けて固定する下枠固定装置とから構成されるパチンコ台枠固定装置において、
前記上枠固定装置は、パチンコ島の上部横木に直に固定される上部固定取付盤と、上部固定取付盤上で前後方向にスライドする上部スライド盤と、パチンコ台枠の上枠を下側から包むようにして固定する上枠固定枠と、パチンコ台枠の上枠を固定した上枠固定枠の固定状態を維持し及び下向きに傾いて解除する上枠固定操作レバーと、上枠固定操作レバーの固定及び解除する係合押圧板とを少なくとも備え、
前記下枠固定装置は、パチンコ島の下部横木に直に固定される下部固定取付盤と、下部固定取付盤上で前後方向にスライドする下部スライド盤と、パチンコ台枠の下枠を上側から爪が食い込んで固定する下枠固定爪盤と、パチンコ台枠の下枠を固定した下枠固定爪盤の固定状態を維持し及びこれを解除する下枠固定操作レバーとを少なくとも備えた、
ことを特徴とするパチンコ台枠固定装置。
【請求項２】
前記上枠固定装置の上部固定取付盤は、上面が平坦な上面板と、上面板の左右両側端から下向きに形成されスライド用長孔を有する左右の側面板と、上面板の前端から下向きに形成された上部横木後面当接板と、上部横木後面当接板の下端から水平前方に向けて形成され固定具取付孔を有する上部横木下面取付板とから少なくとも構成され、
前記上枠固定装置の上部スライド盤は、上部固定取付盤の上面板の上側をスライドする上面が平坦なスライド上面板と、上部固定取付盤の左右の側面板の外面側をスライドしスライド上面板の左右両側端から下向きに形成され上部固定取付盤の側面板に取り付けられた固定摘みが突出するスライド調整長孔を有する左右のスライド側面板と、スライド側面板の下半部側から前方に張り出した前端に固設された上枠後面当接板とから少なくとも構成され、
前記上枠固定装置の上枠固定枠は、上枠下面当接板と上枠前面当接板と上枠上面前端側当接板とから少なくとも構成されると共に、その後端側が上枠固定操作レバーに上下方向回動自在に軸支され、
前記上枠固定装置の上部固定操作レバーは、係合ロック溝を有する左右のレバー側面板と、レバー底面板とから少なくとも構成され、その前端側が上部スライド盤に上下方向回動自在に軸支され、
前記上枠固定装置の係合押圧板は、上部スライド盤の内部側に軸支され、その左右両側端の下部には係合ロック溝に係合される係合突片が左右幅方向に突出してそれぞれ形成されている、
請求項１記載のパチンコ台枠固定装置。
【請求項３】
前記下枠固定装置の下部固定取付盤は、下部横木の上面に直に取り付けられ固定具取付用孔を有する下部横木上面取付板と、下部横木上面取付板の上部に一体的に取り付けられる基板と、基板の左右両側端から上向きに形成された左右の側面板と、基板の後端から上向きに形成された軸受板とから少なくとも構成され、
前記下枠固定装置の下部スライド盤は、下部固定取付盤の上面板の内面側をスライドするスライド下面板と、下部固定取付盤の左右の側面板の内面側をスライドしスライド下面板の左右両側端から上向きに形成されロック解除用の長孔を片側に有するスライド側面板と、下部スライド盤の後部側にスライド下面板から上向きに設けられたスライドネジ孔板と、スライドネジ孔板のネジ孔に螺合するシャフト軸を前部側に有し下部固定取付盤の軸受板を貫通する調整摘みシャフトとから少なくとも構成され、
前記下枠固定装置の下部固定爪盤は、上面板と、上面板の左右両側端から下向きに形成された左右の側面板と、左右の側面板の前端側の下端に下向きに形成された爪とから少なくとも構成されると共に、その後端側が下部スライド盤に上下方向回動自在に軸支され、
前記下枠固定装置の下部固定操作レバーは、後方に向けて斜め上向きに設けられた操作レバー板と、操作レバー板の傾斜下端に前方に向けて連接されたレバー上面押板と、レバー上面押板の左右側端から下向きに設けられ片側に係合ロック溝を有するレバー側面板と、係合ロック溝が形成されていないレバー側面板に一端側が揺動自在に軸支された係合ロックピンと、下部スライド盤のスライド側面板の長孔から突出する係合ロックピンの他端側を係合ロック溝内に向けて常時付勢するバネとから少なくとも構成され、下部固定操作レバーの前端側は下部スライド盤に上下方向回動自在に軸支されている、
請求項１記載のパチンコ台枠固定装置。
【請求項４】
下部スライド盤のスライド側面板の外側面には、下枠固定装置をパチンコ島の下部横木にセットする場合のインデックスとなる矢印が取り付けられている請求項３記載のパチンコ台枠固定装置。
【発明の詳細な説明】
【技術分野】
【０００１】
この発明は、新規入れ替えでパチンコ台を交換する場合の技術に係り、特に、パチンコ台を固持するためにその後部側に固定して取り付けられるパチンコ台枠の上枠及び下枠を、パチンコ島の上部横木及び下部横木に簡単容易に前後方向に移動及び傾斜角度を調整可能に固定するパチンコ台枠固定装置に関するものである。
【背景技術】
【０００２】
パチンコ台は、パチンコ台が横一列に並べられたパチンコ島に固定して取り付けられているパチンコ台枠に、その後部側が所謂ワンタッチ式の係止機構で簡単に固持される構造になっている。
パチンコ台の後部側を固持するパチンコ台枠は、上枠、下枠、左右の側枠から構成され、これらの各枠が上下に長い長方形の枠状に形成されている。各パチンコ台枠は少し台を例えば４．５％傾けた状態で、その上枠及び下枠がパチンコ島の上部横木及び下部横木に釘に固定されている。
パチンコ台枠は各メーカーにより微妙に異なっていて、新規入れ替えでパチンコ台を交換する場合、その後部側のパチンコ島に固定して取り付けられているパチンコ台枠も交換する必要があった。
しかし、前記したように各パチンコ台枠は釘でパチンコ島の上部横木及び下部横木に固定されているため、固定している釘をそれぞれ抜いて取り外す必要があり、非常に面倒であった。
また、交換用のパチンコ台枠をパチンコ島に固定する場合も釘で固定する必要があり、しかも、各パチンコ台枠を一定の例えば４．５％の傾斜角度で取り付ける必要があり、熟練を有する大工でないと取り付け作業は困難であると共に、同じ大工でも取り付け後の各台枠の傾斜角度は台枠毎に微妙に異なり、パチンコ島全体の傾斜角度を均一にすることが困難であり、また、それぞれ傾斜角度を測りながらの取り付け作業のために時間もかかるという不都合があった。
さらに、パチンコ台枠はその都度釘で固定するため、パチンコ島の上部横木及び下部横木に使用されている木には多数の釘穴ができていて釘により傷つき、傷ついたパチンコ島の上部横木及び下部横木を時々交換しなければならないという不都合もあった。
そこで、このような不都合を解消するものとして、例えば実願平６−１２１７２の『パチンコ台取付け装置およびパチンコ台取付け装置セット』が出願されている。
この実願平６−１２１７２の『パチンコ台取付け装置およびパチンコ台取付け装置セット』は、パチンコ台枠の上部をパチンコホールの島の上部横木にパチンコ台取付け装置により取付けて固定する構造になっている。即ち、チョウネジからなる取付け用ネジ部材の先端により、パチンコ台取付け装置の一部を構成する挟持部材の下板部との間で島の上部横木を締め付けて、パチンコ台枠の上部横枠を島の上部横木に取付けて固定する構造になっている。
【特許文献１】実願平６−１２１７２
【発明の開示】
【発明が解決しようとする課題】
【０００３】
しかしながら、前記の実願平６−１２１７２のパチンコ台取付け装置にあっては、遊戯中に生じるパチンコ台の振動によって、パチンコ台取付け装置の挟持部材を島の上部横木に締め付けて取付けて固定するチョウネジからなる取付け用ネジ部材が弛み、パチンコ台枠の上部横枠を島の上部横木に取付けて固定するパチンコ台取付け装置の挟持部材が甘くなってガタ付き、その結果、パチンコ台枠の上部横枠が前後にずれて、パチンコ台が内側に装着されたパチンコ台枠の傾斜角度が狂い、その都度、チョウネジからなる取付け用ネジ部材を締め付け直さねばならないという不都合が考えられる。
また、前記の実願平６−１２１７２のパチンコ台取付け装置は、スライド板部の先端に折り返すように形成されたカギ爪がパチンコ台枠の上枠の前面に一部食い込み、保持部材の突出部が上枠の後面を押圧することにより、パチンコ台枠の上枠をその前後両面側から挟持している。しかし、カギ爪の一部食い込みによるパチンコ台枠の上枠の前面のカギ穴が遊戯中に生じるパチンコ台の振動で取り付け時に比べて徐々に深くなることにより、前後方向の挟持状態が甘くなってガタ付き、その結果、パチンコ台枠の上部横枠が前後にずれて、パチンコ台が装着されたパチンコ台枠の傾斜角度が狂い、その都度、パチンコ台枠の上部横枠を前後から挟持する保持部材を調整し直さなければならない不都合が考えられる。
さらに、前記の実願平６−１２１７２のパチンコ台下部取付け装置にあっては、先端にカギ部を有するカギ状部材は支持部材に図面（実願平６−１２１７２の図５）で判断すると、カギ状部材を支持部材に軸支される細長いボルトの両端を軸支するために支持部材の両側に形成された軸孔が前後に延伸された形状になっているので、カギ状部材は前後方向に移動可能つまり前後方向に調整可能に軸支されていると考えられ、遊戯中に生じるパチンコ台の振動で前後方向にガタ付き、その結果、パチンコ台枠の上部横枠が前後にずれて、パチンコ台が装着されたパチンコ台枠の傾斜角度が狂ってしまうという不都合が考えられる。
【０００４】
この発明は、上記のような課題に鑑み、その課題を解決すべく創案されたものであって、その目的とするところは、パチンコ台を固持するためにその後部側に固定して取り付けられるパチンコ台枠の上枠及び下枠を、パチンコ島の上部横木及び下部横木に簡単容易に前後方向に移動及び傾斜角度を調整可能に固定することのできるパチンコ台枠固定装置を提供することにある。
【課題を解決するための手段】
【０００５】
以上の課題を解決するために、請求項１の発明は、パチンコ台枠の上枠をパチンコ島の上部横木に取り付けて固定する上枠固定装置と、パチンコ台枠の下枠をパチンコ島の下部横木に取り付けて固定する下枠固定装置とから構成されるパチンコ台枠固定装置において、
前記上枠固定装置は、パチンコ島の上部横木に直に固定される上部固定取付盤と、上部固定取付盤上で前後方向にスライドする上部スライド盤と、パチンコ台枠の上枠を下側から包むようにして固定する上枠固定枠と、パチンコ台枠の上枠を固定した上枠固定枠の固定状態を維持し及び下向きに傾いて解除する上枠固定操作レバーと、上枠固定操作レバーの固定及び解除する係合押圧板とを少なくとも備え、
前記下枠固定装置は、パチンコ島の下部横木に直に固定される下部固定取付盤と、下部固定取付盤上で前後方向にスライドする下部スライド盤と、パチンコ台枠の下枠を上側から爪が食い込んで固定する下枠固定爪盤と、パチンコ台枠の下枠を固定した下枠固定爪盤の固定状態を維持し及びこれを解除する下枠固定操作レバーとを少なくとも備えた、
手段よりなるものである。
【０００６】
また、請求項１の発明の好ましい態様として、請求項２の場合には、
前記上枠固定装置の上部固定取付盤は、上面が平坦な上面板と、上面板の左右両側端から下向きに形成されスライド用長孔を有する左右の側面板と、上面板の前端から下向きに形成された上部横木後面当接板と、上部横木後面当接板の下端から水平前方に向けて形成され固定具取付孔を有する上部横木下面取付板とから少なくとも構成され、
前記上枠固定装置の上部スライド盤は、上部固定取付盤の上面板の上側をスライドする上面が平坦なスライド上面板と、上部固定取付盤の左右の側面板の外面側をスライドしスライド上面板の左右両側端から下向きに形成され上部固定取付盤の側面板に取り付けられた固定摘みが突出するスライド調整長孔を有する左右のスライド側面板と、スライド側面板の下半部側から前方に張り出した前端に固設された上枠後面当接板とから少なくとも構成され、
前記上枠固定装置の上枠固定枠は、上枠下面当接板と上枠前面当接板と上枠上面前端側当接板とから少なくとも構成されると共に、その後端側が上枠固定操作レバーに上下方向回動自在に軸支され、
前記上枠固定装置の上部固定操作レバーは、係合ロック溝を有する左右のレバー側面板と、レバー底面板とから少なくとも構成され、その前端側が上部スライド盤に上下方向回動自在に軸支され、
前記上枠固定装置の係合押圧板は、上部スライド盤の内部側に軸支され、その左右両側端の下部には係合ロック溝に係合される係合突片が左右幅方向に突出してそれぞれ形成されている。
【０００７】
また、請求項１の発明の好ましい態様として、請求項３の場合には、前記下枠固定装置の下部固定取付盤は、下部横木の上面に直に取り付けられ固定具取付用孔を有する下部横木上面取付板と、下部横木上面取付板の上部に一体的に取り付けられる基板と、基板の左右両側端から上向きに形成された左右の側面板と、基板の後端から上向きに形成された軸受板とから少なくとも構成され、
前記下枠固定装置の下部スライド盤は、下部固定取付盤の上面板の内面側をスライドするスライド下面板と、下部固定取付盤の左右の側面板の内面側をスライドしスライド下面板の左右両側端から上向きに形成されロック解除用の長孔を片側に有するスライド側面板と、下部スライド盤の後部側にスライド下面板から上向きに設けられたスライドネジ孔板と、スライドネジ孔板のネジ孔に螺合するシャフト軸を前部側に有し下部固定取付盤の軸受板を貫通する調整摘みシャフトとから少なくとも構成され、
前記下枠固定装置の下部固定爪盤は、上面板と、上面板の左右両側端から下向きに形成された左右の側面板と、左右の側面板の前端側の下端に下向きに形成された爪とから少なくとも構成されると共に、その後端側が下部スライド盤に上下方向回動自在に軸支され、
前記下枠固定装置の下部固定操作レバーは、後方に向けて斜め上向きに設けられた操作レバー板と、操作レバー板の傾斜下端に前方に向けて連接されたレバー上面押板と、レバー上面押板の左右側端から下向きに設けられ片側に係合ロック溝を有するレバー側面板と、係合ロック溝が形成されていないレバー側面板に一端側が揺動自在に軸支された係合ロックピンと、下部スライド盤のスライド側面板の長孔から突出する係合ロックピンの他端側を係合ロック溝内に向けて常時付勢するバネとから少なくとも構成され、下部固定操作レバーの前端側は下部スライド盤に上下方向回動自在に軸支されている。
【０００８】
また、請求項３の好ましい態様として、請求項４の場合には、下部スライド盤のスライド側面板の外側面には、下枠固定装置をパチンコ島の下部横木にセットする場合のインデックスとなる矢印が取り付けられている。
【発明の効果】
【０００９】
以上の課題を解決するための手段を備えたこの発明に係るパチンコ台枠固定装置によれば、パチンコ台枠固定装置の上枠固定装置により、パチンコ台枠の上枠をパチンコ島の上部横木に強固に固定することができ、パチンコ遊技中に生じる振動によってパチンコ台枠の上枠側がガタ付くのを確実に防ぐことができる。同様に、パチンコ台枠固定装置の下枠固定装置により、パチンコ台枠の下枠をパチンコ島の下部横木に強固に固定することができ、パチンコ遊技中に生じる振動によってパチンコ台枠の下枠側がガタ付くのを確実に防ぐことができる。しかも、固定した状態で、パチンコ台枠を前後に移動できると共にその傾斜角度も簡単容易に調整することができる。
【００１０】
請求項２の場合にあっては、上枠固定装置を構成する上部固定取付盤の上部横木下面取付板の固定具取付孔に固定具としての例えばネジを取り付けて、パチンコ島の上部横木の下面にネジ込むことにより、上枠固定装置を上部横木の下面に強固に固定して取り付けることができる。
また、パチンコ台枠の上枠を包むようにして固持する上枠固定枠を上部スライド盤によって前後方向にスライド移動させることができ、前後にスライドする上枠固定枠を介してパチンコ台枠の上枠をパチンコ島の上部横木に対してスライド移動させることができると共に、パチンコ台枠の上枠側の傾斜角度を簡単に調整することができる。
しかも、パチンコ台枠の上枠の上枠固定枠への取り付け及びそれからの取り外しは、上枠固定操作レバーを操作することにより簡単に行うことができると共に、この上枠固定操作レバーによってパチンコ台枠の上枠を上枠固定装置に簡単容易にロックした状態に保持することができる。
さらに、そのロック状態は上枠固定装置の係合押圧板を押すことにより簡単に解除することができる。
【００１１】
請求項３の場合にあっては、下枠固定装置を構成する下部固定取付盤の下部横木上面取付板の固定具取付孔に固定具としての例えばネジを取り付けて、パチンコ島の下部横木の上面にネジ込むことにより、下枠固定装置を下部横木の上面に強固に固定して取り付けることができる。
また、パチンコ台枠の下枠に食い込んで固持する下枠固定爪盤を下部スライド盤によって前後方向にスライド移動させることができ、前後にスライドする下枠固定爪盤を介してパチンコ台枠の下枠をパチンコ島の下部横木に対してスライド移動させることができると共に、パチンコ台枠の下枠側の傾斜角度を簡単に調整することができる。
しかも、パチンコ台枠の下枠に対する下枠固定爪盤の爪による食い込み固持及びその解除は、下枠固定操作レバーを操作することにより簡単に行うことができると共に、この上枠固定操作レバーによってパチンコ台枠の下枠を下枠固定装置に簡単容易にロックした状態に保持することができる。
さらに、そのロック状態は係合ロックピンを係合ロック溝から外して操作レバー板を引き上げることにより簡単に解除することができる。
【００１２】
また、請求項４のように、下部スライド盤のスライド側面板の外側面に下枠固定装置をパチンコ島の下部横木にセットする場合のインデックスとなる矢印が取り付けられている場合にあっては、この矢印を利用してパチンコ島の下部横木の所定位置に合わせることによって、下枠固定装置をパチンコ島の下部横木の所定位置に簡単にセットすることができる。
【発明を実施するための最良の形態】
【００１３】
以下、図面に記載の発明を実施するための最良の形態に基づいて、この発明をより具体的に説明する。
ここで、図１は全体側断面図、図２は上枠固定装置の側面図、図３は上枠固定装置の底面図、図４は上枠固定装置の平面図、図５は上枠固定装置の背面図、図６は下枠固定装置の右側面図、図７は下枠固定装置の左側面図、図８は上枠固定装置の平面図、図９は上枠固定装置の正面図、図１０は上枠固定装置の背面図である。
【００１４】
図において、パチンコ台枠固定装置は、パチンコ台を固持するためにその後部側に固定して取り付けられるパチンコ台枠ａの上枠ｂ及び下枠ｃをパチンコ島の上部横木ｄ及び下部横木ｅに簡単に前後に調整可能に取り付けて固定する装置で、パチンコ台枠ａの上枠ｂをパチンコ島の上部横木ｄに取り付けて固定する上枠固定装置１１と、パチンコ台枠ａの下枠ｃをパチンコ島の下部横木ｅに取り付けて固定する下枠固定装置２１とから構成されている。上枠固定装置１１はパチンコ台枠ａの上枠ｂの左右二箇所に設けられ、下枠固定装置２１はパチンコ台枠ａの下枠ｃの左右二箇所に設けられる。
【００１５】
上枠固定装置１１は、パチンコ島の上部横木ｄに直に固定される上部固定取付盤１２、上部固定取付盤１２上で前後方向にスライドする上部スライド盤１３、パチンコ台枠ａの上枠ｂを下側から包むようにして固定する上枠固定枠１４、パチンコ台枠ａの上枠ｂを固定した上枠固定枠１４の固定状態を維持し及び下向きに傾いて解除する上枠固定操作レバー１５、上枠固定操作レバー１５の固定及び解除する係合押圧板１６などから構成されている。
【００１６】
上部固定取付盤１２は、上面が平坦な上面板１２ａ、上面板１２ａの左右両側端から下向きに直角に延設されて形成された左右の側面板１２ｂ、上面板１２ａの前端から下向きに直角に延設されて形成された上部横木後面当接板１２ｃ、上部横木後面当接板１２ｃの下端から水平前方に向けて直角に延設されて形成された上部横木下面取付板１２ｄなどから構成されている。
【００１７】
上面板１２ａはその平坦な上面に沿って上部スライド盤１３のスライド上面板１３ａが前後方向にスライドする箇所である。つまり、上面板１２ａは上部スライド盤１３を前後方向にスライド自在に支持している。上面板１２ａは上部横木下面当接板１２ｄと上下で平行になるように形成されている。
【００１８】
左右の側面板１２ｂにはその外側表面に沿って上部スライド盤１３の左右のスライド側面板１３ｂが前後方向にスライドしている。左右の側面板１２ｂは上部スライド盤１３が前後にスライドする場合に、左右方向にぶれるのを防いて、前後方向に真っ直ぐスライドするようにガイドする機能を果たす。
【００１９】
また、左右の側面板１２ｂには前後方向に向けて水平なスライド用長孔１２ｅがそれぞれ形成されている。この左右のスライド用長孔１２ｅ内には上部スライド盤１３の左右のスライド側面板１３ｂの内側面から内側に向けてその横断方向にスライドシャフトが貫通して取り付けられている。上部スライド盤１３は、左右のスライド用長孔１２ｅを横断方向に貫通するスライドシャフトを通じて、このスライド用長孔１２ｅの長さ範囲内で前後にスライド移動可能になっている。
【００２０】
スライド用長孔１２ｅが形成された左右の側面板１２ｂの下部側には、上部スライド盤１３の左右の側面板１３ｂに形成されたスライド調整長孔１３ｅを貫通して外側方に突出する固定摘み１２ｆがそれぞれ取り付けられている。固定摘み１２ｆはこれを正逆方向に回転させることで前後にスライドする上部スライド盤１３を上部固定取付盤１２に固定及びその固定を解除する機能を果たす。
【００２１】
上部固定取付盤１２の上面板１２ａの前端に下向きに直角に延設された上部横木後面当接板１２ｃは、その前面が上枠固定装置１１の固定される上部横木ｄの後面に非連結状態で当接して、上部固定取付盤１２が左右方向に傾くことなく真っ直ぐに取り付けられて保持される役目を果たす。
【００２２】
上部横木後面当接板１２ｃはその高さが上部横木ｄの後面の高さと略同じで、また上部横木後面当接板１２ｃはその左右幅方向に左右の側面板１２ｂより少し外側方に突出していて、幅長さが左右の側面板１２ｂの間隔より大きくなっており、上部固定取付盤１２が左右方向に傾き難くなっている。
【００２３】
上部横木後面当接板１２ｃの下端から水平前方に向けて直角に延設された上部横木下面取付板１２ｄは、その上面が上枠固定装置１１が固定される上部横木ｄの下面に密着した状態で固定具としての例えばネジにより固定される。これにより、上枠固定装置１１はこの上部固定取付盤１２を介して上部横木ｄの下面側及び後面側にしっかりと固定される。
【００２４】
上部横木下面取付板１２ｄには、これを固定具としての例えば皿ネジで固定するための固定具取付孔１２ｇが複数形成されている。図面では固定具取付孔１２ｇとしてのネジ孔が左右方向に３列、前後方向に３列の合計９個形成されている。各固定具取付孔１２ｇは締め付け時の皿ネジ頭が上部横木下面取付板１２ｄの下面から突出しないように、孔内周面は上部横木ｄの下面に接するその上面が下面より小径の台形円錐形に形成されている。
【００２５】
また、上部横木下面取付板１２ｄの前端側の下面は、前端に向けて斜め上向きに傾斜して側面方向から見て尖っていて、取り付け時に前方から後方に移動するパチンコ台枠ａの上枠ｂの上面が上部横木下面取付板１２ｄの前端に当たらずにスムーズにその下面側に移動できる構造になっている。
【００２６】
上部スライド盤１３は上部固定取付盤１２の上面板１２ａ及び側面板１２ｂの外面に沿って前後方向にスライドする。上部スライド盤１３は、上面が平坦なスライド上面板１３ａ、スライド上面板１３ａの左右両側端から下向きに直角に延設されて形成された左右のスライド側面板１３ｂ、スライド側面板１３ｂの下半部側から前方に張り出した前端に固設された上枠後面当接板１３ｃなどから構成されている。
【００２７】
スライド上面板１３ａはその平坦な下面が前記の上部固定取付盤１２の上面板１２ａの上面に沿って前後方向にスライドする。つまり、上部スライド盤１３はスライド上面板１３ａを通じて上部固定取付盤１２の上面板１２ａに前後方向にスライド自在に支持される。
【００２８】
左右のスライド側面板１３ｂは、下半部側が上半部側に比べて前方に張り出していて、Ｌ字型及び逆Ｌ字型の形状になっている。左右のスライド側面板１３ｂは、前方に張り出さない上半部側の内側表面が前記の上部固定取付盤１２の側面板１２ｂの外側表面に沿って前後方向にスライドする。
【００２９】
上部スライド盤１３が上部固定取付盤１２上を前後にスライドする場合に、左右のスライド側面板１３ｂの上半部側が上部固定取付盤１２の左右側面板１２ｂと内外で係合することによって、上部スライド盤１３は左右方向にぶれるのが防がれて、前後方向に真っ直ぐスライドするようにガイドされている。
【００３０】
また、左右のスライド側面板１３ｂには、前記したように内側面から向かい合う内側面に向けてその横断方向にスライドシャフト１３ｄが左右の前記スライド用長孔１２ｅを貫通して取り付けられている。前記したように上部スライド盤１３は、左右のスライド用長孔１２ｅを横断方向に貫通するスライドシャフト１３ｄを通じて、このスライド用長孔１２ｅの長さ範囲内で前後にスライド移動可能になっている。
【００３１】
スライドシャフト１３ｄが横断方向に取り付けられた左右のスライド側面板１３ｂの下部側には、前後方向に向けて水平な長孔からなる前記したスライド調整長孔１３ｅがそれぞれ形成されている。左右のスライド調整長孔１３ｅには前記した固定摘み１２ｆが内側から貫通して突出している。スライド調整長孔１３ｅの長孔はスライド用長孔１２ｅと平行にしかも略同じ長さに形成されている。
【００３２】
上枠後面当接板１３ｃは、スライド側面板１３ｂの下半部側から前方に張り出した前端に垂直に固設されている。上枠後面当接板１３ｃは、その前面がパチンコ台枠ａの上枠ｂの後面の一部に非連結状態で当接して、上枠ｂの前面、前面側の上面及び下面に当接して保持する上枠固定枠１４と協働して、パチンコ台枠ａの上枠ｂが前後及び左右方向に傾くことなく真っ直ぐに保持する役目を果たす。
【００３３】
スライド側面板１３ｂの前方に張り出す下半分側の前端側下部の内部側には、その内側面から向かい合う内側面に向けてその横断方向に上枠固定レバーシャフト１５ｅが取り付けられている。この上枠固定レバーシャフト１５ｅには上枠固定操作レバー１５の前部側が俯角側の範囲で回動自在に軸支されている。
【００３４】
上枠固定枠１４は、パチンコ台枠ａの上枠ｂを下側から包むようにして固定する枠体で、上枠下面当接板１４ａ、上枠前面当接板１４ｂ、上枠上面前端側当接板１４ｃから形成されている。上枠固定枠１４は前記の上枠後面当接板１３ｃと協動してパチンコ台枠ａの上枠ｂをしっかりと保持して前後方向にぶれるのを防ぐ。上枠固定枠１４はその後端側が上枠固定操作レバー１５の中間側に上下方向に回動自在、例えば俯角側の範囲で回動自在に軸支されている。
【００３５】
上枠下面当接板１４ａはパチンコ台枠ａの上枠ｂの下面に当接して下側から下面を支えて保持する。上枠下面当接板１４ａはその後方側の左右幅が途中から少し幅広くなっており、それより少し後方側は下向きにＵ字状溝１４ｄが幅方向に向けて形成されて上下方向に曲げ易くなっている。上枠下面当接板１４ａはＵ字状溝１４ｄを挟んでその後方側の表面は少し高い位置になっている。
【００３６】
上枠下面当接板１４ａの後端側は上枠固定操作レバー１５の前側寄りの中間に取り付けられた上枠固定枠支軸シャフト１４ｅに上下向きに回動自在に軸支されている。この上枠下面当接板１４ａの後端側は上枠固定枠支軸シャフト１４ｅに取り外し自在に軸支されている。
【００３７】
上枠前面当接板１４ｂは、パチンコ台枠ａの上枠ｂの前面に当接して前側から前面を保持するもので、上枠下面当接板１４ａの前端から上向きに直角に延設されている。上枠上面前端側当接板１４ｃは、パチンコ台枠ａの上枠ｂの前面側の上面前端側に当接して上面前端側を上側から保持するもので、上枠前面当接板１４ｂの上端から後方向きに直角に延設されている。
【００３８】
上枠固定操作レバー１５は、左右のレバー側面板１５ａ、レバー底面板１５ｂ、連結板１５ｃなどから構成され、その前端側が上部スライド盤の前端側に上下方向に回動自在に軸支されている。パチンコ台枠ａの上枠ｂを保持する状態で上部スライド盤１３の左右のスライド側面板１３ｂの下半分側に収納され、パチンコ台枠ａの上枠ｂの保持解除する状態で左右のスライド側面板１３ｂの下半分側から下方側に開いて露出する構造になっている。
【００３９】
即ち、上枠固定操作レバー１５は、上枠固定レバーシャフト１５ｅを支点として、上部スライド盤１３の下面側から下向きに回動して開いて、パチンコ台枠ａの上枠ｂを保持する上枠固定枠１４の保持状態を解除し、上部スライド盤１３の下面側に向けて上向きに回動して閉じて、パチンコ台枠ａの上枠ｂの保持解除している上枠固定枠１４を保持状態にする。
【００４０】
左右の各レバー側面板１５ａは、上部スライド盤１３の左右のスライド側面板１３ｂの内部側に収納され、その前部側は左右のスライド側面板１３ｂの間に横設された前記の上枠固定レバーシャフト１５ｅに上下方向に回動自在に軸支されている。
【００４１】
左右の各レバー側面板１５ａの後端側は、上部スライド盤１３に収納位置で、前方側に向けて斜め上向きに傾斜し、傾斜上端から前方に斜め下向きに傾斜し、その傾斜下端側の付近となる後部側寄りには係合押圧板１６の係合突片１６ａが係合される係合ロック溝１５ｄが形成されている。
【００４２】
係合ロック溝１５ｄは、上部スライド盤１３に収納位置で、上記の傾斜下端から逆向きの後部側に向けて少し水平に延び、そこから下向きに直角に少し延びた後、再び前部側に向けて水平に延び、そこから上向きに直角に延びてレバー側面板１５ａの上端に達している。レバー側面板１５ａの上端側は、上部スライド盤１３に収納位置で、係合ロック溝１５ｄの上端から前部側に向けて僅かに下向きに傾斜した状態で延びて前端に達している。
【００４３】
レバー底面板１５ｂは、左右のレバー側面板１５ａの前半側より少し下方に突出する後半部側の下端側の間にその横断方向に連結されていて、左右のレバー側面板１５ａを連結している。連結板１５ｃは、左右の係合ロック溝１５ｄの上端側の間に前方に向けて斜め上向きに傾斜して取り付けられていて、左右のレバー側面板１５ａを連結している。左右のレバー側面板１５ａの前側寄りの中間の内部側には前記の上枠固定枠支軸シャフト１４ｅが横断方向に取り付けられている。
【００４４】
係合押圧板１６は、上枠固定操作レバー１５を上部スライド盤１３の下部側に収納してロック状態にする。係合押圧板１６は上部スライド盤１３の内部側に上下向きに取り付けられている。係合押圧板１６はその上部側が上部スライド盤１３の内部側に横設されたスライドシャフト１３ｄに軸支されている。
【００４５】
係合押圧板１６の左右両側端の下部には、左右幅方向に突出する係合突片１６ａがそれぞれ形成されている。この左右の係合突片１６ａが前記の左右のレバー側面板１５ａの係合ロック溝１５ｄに係合されることにより、上枠固定操作レバー１５が下側に開かないようにロックする。
【００４６】
下枠固定装置２１は、パチンコ台枠ａの下枠ｃに直に固定される下部固定取付盤２２、下部固定取付盤２２上で前後方向にスライドする下部スライド盤２３、パチンコ台枠ａの下枠ｃを上側から爪が食い込んで固定する下枠固定爪盤２４、パチンコ台枠ａの下枠ｃを固定した下枠固定爪盤２４の固定状態を維持し及びこれを解除する下枠固定操作レバー２５などから構成されている。
【００４７】
下部固定取付盤２２は、下部横木ｅの上面に直に取り付けられる下部横木上面取付板２２ａ、下部横木上面取付板２２ａの上部に一体的に取り付けられ上面が平坦な基板２２ｂ、基板２２ｂの左右両側端から上向きに直角に延設されて形成された左右の側面板２２ｃ、基板２２ｂの後端から上向きに直角に延設されて形成された軸受板２２ｄなどから構成されている。
【００４８】
下部横木上面取付板２２ａはその中央部分が平坦面になっていて、その上部側の基板２２ｂの下面に一体的に取り付けられている。基板２２ｂの下面に一体的に取り付けられた中央部分の左右両側の側端は下向きに直角に少し延設され、その下端からそれぞれ外側方に向けて直角に延設されている。
【００４９】
この下端から直角に延設された部分は、水平になっていて、その下面は平坦面になっている。この下端から直角に延設されその下面が平坦面な部分には、これを固定具としての例えばネジで固定するための固定具取付孔２２ｅが複数形成されている。図面では固定具取付孔２２ｅとしてのネジ孔が基板２２ｂの両側に前後方向に４列の合計８個形成されている。
【００５０】
下部横木上面取付板２２ａの下端から両外方に直角な水平状に延設されたその下面が、下枠固定装置２１が固定される下部横木ｅの上面に密着した状態で固定具としての例えばネジにより固定される。これにより、下枠固定装置２１は下部固定取付盤２２の下部横木上面取付板２２ａを介して下部横木ｅの上面にしっかりと固定される。
【００５１】
下部横木上面取付板２２ａを介して下部横木ｅの上面に固定される下部固定取付盤２２の基板２２ｂは、その平坦な上面に沿って下部スライド盤２３のスライド下面板２３ａが前後方向にスライドする箇所である。つまり、基板２２ｂは下部スライド盤２３を前後方向にスライド自在に支持している。
【００５２】
左右の側面板２２ｃにはその内側表面に沿って下部スライド盤２３の左右のスライド側面板２３ｂの下部側が前後方向にスライドしている。左右の側面板２２ｃは下部スライド盤２３が前後にスライドする場合に、左右方向に振れるのを防いて、前後方向に真っ直ぐスライドするようにガイドする機能を果たす。
【００５３】
左右の側面板２２ｃはスライド側面板２３ｂに比べて高さが低い。左右の側面板２２ｃの上端辺は前部側が水平に形成され、そこから少し下向きに傾斜して中間側は前部側より少し低い水平に形成され、中間側の後部は上向きに延びて後部側の上端辺は前部側より高い位置で水平に形成されている。中間側の低くなっている範囲で支軸シャフト２４ｅが前後方向に移動して、移動する支軸シャフト２４ｅが当たらない構造になっている。
【００５４】
基板２２ｂの後端に上向きに直角に形成された軸受板２２ｄの上部側の中央には貫通孔が形成されていて、下部スライド盤２３を前後方向にスライド調整する下部スライド盤２３の調整摘みシャフト２３ｄのシャフト軸２３ｅがこの貫通孔を貫通して取り付けられている。
【００５５】
下部スライド盤２３は下部固定取付盤２２の基板２２ｂ及び側面板２２ｃの内面側に沿って前後方向にスライドする。下部スライド盤２３は、下面が平坦なスライド下面板２３ａ、スライド下面板２３ａの左右両側端から上向きに直角に延設されて形成された左右のスライド側面板２３ｂ、下部スライド盤２３の後部側にスライド下面板２３ａから上向きに直角に設けられたスライドネジ孔板２３ｃ、スライドネジ孔板２３ｃのネジ孔に螺合するシャフト軸２３ｅを前部側に有する調整摘みシャフト２３ｄなどから構成されている。
【００５６】
スライド下面板２３ａはその平坦な下面が前記の下部固定取付盤２２の基板２２ｂの上面に沿って前後方向にスライドする。つまり、下部スライド盤２３はスライド下面板２３ａを通じて下部固定取付盤２２の基板２２ｂに前後方向にスライド自在に支持される。
【００５７】
左右のスライド側面板２３ｂは、下部側の外側表面が前記の下部固定取付盤２２の側面板２２ｃの内側表面に沿って前後方向にスライドする。下部スライド盤２３が下部固定取付盤２２上を前後にスライドする場合に、左右のスライド側面板２３ｂの下部側が下部固定取付盤２２の左右側面板２２ｃと内外で係合することによって、下部スライド盤２３は左右方向にぶれるのが防がれて、前後方向に真っ直ぐスライドするようにガイドされている。
【００５８】
スライド下面板２３ａの後部側にはスライドネジ孔板２３ｃが横断方向に設けられている。スライドネジ孔板２３ｃにはネジ孔が形成されている。スライドネジ孔板２３ｃのネジ孔には、調整摘みシャフト２３ｄの前部側のシャフト軸２３ｅが螺合されている。つまり前部側のシャフト軸２３ｅの外周側面にはネジ山が螺旋状に形成されている。
【００５９】
前記の下部固定取付盤２２の軸受板２２ｄを貫通して軸受板２２ｄの後方に突出する調整摘みシャフト２３ｄを回すことにより、ネジ孔に螺合された前部側のシャフト軸２３ｅがスライドネジ孔板２３ｃを螺子運動により前後にスライド移動させる。下部スライド盤２３はスライド下面板２３ａに上向きに設けられたこのスライドネジ孔板２３ｃの螺子運動を通じて前後方向へスライド移動する構造になっている。
【００６０】
下部スライド盤２３の片側のスライド側面板２３ｂには、下枠固定操作レバー２５のロック解除用の長孔２３ｆが形成されている。長孔２３ｆが形成された側の反対側のスライド側面板２３ｂの外側面には、下枠固定装置２１をパチンコ島の下部横木ｅにセットする場合のインデックスとなる矢印２３ｇが下向きに取り付けられている。矢印２３ｇは下部が下向きに逆三角形になっていて、逆三角形の頂点をパチンコ島の下部横木ｅの所定位置に合わせることによって、下枠固定装置２１をパチンコ島の下部横木ｅの所定位置にセットできる。
【００６１】
下枠固定爪盤２４は、パチンコ台枠ａの下枠ｃを上側から爪２４ｃが食い込んで固定するもので、平坦な上面板２４ａ、上面板２４ａの左右両側端から下向きに直角に延設されて形成された左右の側面板２４ｂ、左右の側面板２４ｂの前端側の下端に下向きに形成された爪２４ｃなどから構成されている。下枠固定爪盤２４はその後端側が下部スライド盤２３に上下方向回動自在に軸支されている。
【００６２】
左右の側面板２４ｂの前端側に形成された爪２４ｃは、下向きに突起しており、図面では例えば下向きに２本の三角形が鋭角に突起する形状から形成されている。また、爪２４ｃが形成された左右の側面板２４ｂの前端側は、前端から後方に向けて一部切り欠き隙間２４ｄが形成されていて、前端側の爪２４ｃ部分がこの一部切り欠き隙間２４ｄを利用して上側に少し撓むことにより、下枠固定操作レバー２５で下枠固定爪盤２４をセットしやすいようになっている。
【００６３】
下枠固定爪盤２４は、爪２４ｃが形成された前部側が下部固定取付盤２２の前端より前方に突出している。下枠固定爪盤２４の中間側及び後部側は下部スライド盤２３の左右のスライド側面板２３ｂの内側に配置されている。下枠固定爪盤２４の左右の側面板２４ｂの後部側は、下部スライド盤２３の左右のスライド側面板２３ｂの内側に支軸シャフト２４ｅにより上下回動自在に軸支されている。
【００６４】
下枠固定爪盤２４は、支軸シャフト２４ｅを中心に上下に回動し、下枠固定操作レバー２５を下向きに作動させるとその前端側の爪２４ｃが下向きに回動してパチンコ台枠ａの下枠ｃの上面に食い込み、反対に下枠固定操作レバー２５を上向きに作動解除させるとその前端側の爪２４ｃが上向きに回動してパチンコ台枠ａの下枠ｃの上面からの食い込みが解除される。
【００６５】
下枠固定操作レバー２５は、下枠固定装置２１をパチンコ台枠ａの下枠ｃに固定及び固定解除をする際に使用されるもので、後方に向けて斜め上向きに設けられた操作レバー板２５ａ、操作レバー板２５ａの傾斜下端に前方に向けて水平に連接されたレバー上面押板２５ｂ、レバー上面押板２５ｂの左右側端から下向きに設けられたレバー側面板２５ｃ、下枠固定レバーシャフト２５ｄ、係合ロック溝２５ｅ、係合ロックピン２５ｆ、バネ２５ｇなどから構成されている。
【００６６】
下枠固定操作レバー２５は、パチンコ台枠ａの下枠ｃに下枠固定爪盤２４の爪２４ｃを食い込ませて下枠固定装置２１を固定する状態で、レバー上面押板２５ｂ及び左右のレバー側面板２５ｃが下部スライド盤２３の左右のスライド側面板２３ｂの内側に収納されている。また、下枠固定操作レバー２５は、パチンコ台枠ａの下枠ｃに食い込んでいる爪２４ｃを上向きに回動して固定を解除する状態で、一部のレバー上面押板２５ｂ及び左右のレバー側面板２５ｃが左右のスライド側面板２３ｂの内側から上方側に回動して開いて露出する構造になっている。
【００６７】
操作レバー板２５ａは、下枠固定操作レバー２５の後部側に設けられ、後方に向けて斜め上向きに傾斜する状態で設けられている。下枠固定操作レバー２５を操作する場合、この操作レバー板２５ａを下向きに押すことにより、下枠固定爪盤２４を固定状態にし、上向きに上げることにより固定解除状態にする。操作レバー板２５ａの傾斜下端はレバー上面押板２５ｂの後端に連接している。
【００６８】
レバー上面押板２５ｂの前部側は、下枠固定爪盤２４の上面板２４ａの中間側を上側から押圧することを通じて前端側の爪２４ｃを下向きに押さえてパチンコ台枠ａの下枠ｃに食い込ませ、下枠固定装置２１をパチンコ台枠ａの下枠ｃに固定させると共に、固定時に下枠固定爪盤２４の前端側が上向きに回動するのを防いでパチンコ台枠ａの下枠ｃに食い込んでいる前端側の爪２４ｃが上側に外れるのを防ぐ機能を果たす。
【００６９】
下枠固定操作レバー２５の左右のレバー側面板２５ｃは、その前端側が左右のスライド側面板２３ｂの前端側の間に横設された下枠固定レバーシャフト２５ｄに上下方向に回動自在に軸支されている。下枠固定操作レバー２５は、下枠固定レバーシャフト２５ｄを支点として、下部スライド盤２３の上面側から上向きに回動して開いて、下枠固定爪盤２４の押圧を開放して爪２４ｃの食い込みを解除し、下向きに回動して閉じて、下枠固定爪盤２４を押圧して爪２４ｃをパチンコ台枠ａの下枠ｃに食い込ませて下枠固定装置２１を固定状態にする。
【００７０】
下枠固定操作レバー２５の片側のレバー側面板２５ｃの中間部分には、下枠固定爪盤２４の固定時に下枠固定操作レバー２５が上方に開いて固定解除状態を招くのを回避するために、係合ロック溝２５ｅが形成されている。係合ロック溝２５ｅは後方に向けて開いた横向きの例えばＵ字状の形状になっている。
【００７１】
係合ロック溝２５ｅが形成された左右のレバー側面板２５ｃの間には、係合ロックピン２５ｆが横断方向に貫通した状態で設けられている。係合ロックピン２５ｆはその一端側が、係合ロック溝２５ｅが形成されていない側のレバー側面板２５ｃに揺動自在に連結されている。係合ロックピン２５ｆの他端側は、一端側を中心に揺動して係合ロック溝２５ｅに係合されたり係合ロック溝２５ｅから外れたりできる構造になっている。
【００７２】
係合ロックピン２５ｆの他端はレバー側面板２５ｃに形成された前記長孔２３ｆを貫通して外部に突出している。外部に突出している他端には係合ロックピン２５ｆを係合ロック溝２５ｅ内に向けて常時付勢するバネ２５ｇの他端が連結されている。バネ２５ｇの一端はレバー側面板２５ｃの前部側に連結されている。バネ２５ｇには例えばコイルバネが使用されている。
【００７３】
下枠固定操作レバー２５は、バネ２５ｇの付勢力を通じて係合ロック溝２５ｅ内に係合されている係合ロックピン２５ｆにより、下枠固定爪盤２４の固定時に上方に開いて固定解除状態を招くのが防がれている。固定状態を解除する場合には、係合ロックピン２５ｆの他端側をバネ２５ｇの付勢力に抵抗して、長孔２３ｆ内をその後方側に向けて揺動させて係合ロック溝２５ｅから外し、操作レバー板２５ａを上向きに開くことで、簡単に解除できる。
【００７４】
次に、上記発明を実施するための最良の形態の構成に基づく作用について以下説明する。上枠固定装置１１を使用して、パチンコ台枠ａの上枠ｂをパチンコ島の上部横木ｄへの取り付け作業は次のようにして行われる。
【００７５】
２基の上枠固定装置１１を使用して、パチンコ台枠ａの上枠ｂをパチンコ島の上部横木ｄへの取り付け作業は次のようにして行われる。
上枠固定装置１１を構成する上部横木下面取付板１２ｄを図示しないネジを使用してパチンコ島の上部横木ｄの下面に固定する。２基の上枠固定装置１１をパチンコ台枠ａの上枠ｂの中心から左右に等間隔で取り付ける。
【００７６】
上枠固定枠１４の上部横木後面当接板１２ｃをパチンコ島の上部横木ｄの後面に密着して、上枠固定装置１１を所定位置にセットした後、上部横木下面取付板１２ｄに形成された固定具取付孔１２ｇに図示しない固定具の例えばネジを取り付け、ドライバーなどにより、ネジの先端側をパチンコ島の上部横木ｄの下面にネジ込んで、図示しないネジを利用して上枠固定装置１１の上部横木下面取付板１２ｄを上部横木ｄの下面に当接固定する。上枠固定装置１１はこの上部横木下面取付板１２ｄを介して、パチンコ島の上部横木ｄの後部の下部側にネジ込んだネジによってしっかりと固定される。
【００７７】
上枠固定装置１１の上部横木下面取付板１２ｄをパチンコ島の上部横木ｄの下面に固定した後、下向きに開いている上枠固定枠１４内にパチンコ台枠ａの上枠ｂを入れる。上枠固定枠１４の上枠下面当接板１４ａにパチンコ台枠ａの上枠ｂの下面を当接し、叉上枠前面当接板１４ｂに上枠ｂの前面を当接しながら上枠固定枠１４内に上枠ｂを係合する。
【００７８】
この後、下向きに開いているパチンコ台枠ａの上枠ｂが係合された上枠固定枠１４を押し上げる。上枠固定枠１４は上枠固定枠支軸シャフト１４ｅを中心として、図面上では時計回りの上向きに回動して閉じる。傾いていたパチンコ台枠ａの上枠ｂは上下に真っ直ぐになる。上枠ｂが上下に真っ直ぐにした後に、同様に下向きに開いている上枠固定操作レバー１５を押し上げる。上枠固定操作レバー１５は上枠固定レバーシャフト１５ｅを中心として、図面上では反時計回りの上向きに回動する。
【００７９】
上向きに回動する上枠固定操作レバー１５は、左右のレバー側面板１５ａに形成された係合ロック溝１５ｄが上動して、上動した係合ロック溝１５ｄ内に上部スライド盤１３の内側に設けられた係合押圧板１６の左右の係合突片１６ａが係合することより閉じる。そして、係合突片１６ａが係合ロック溝１５ｄに係合することにより、係合ロック溝１５ｄから係合突片１６ａが外れることはないので、パチンコ台枠ａの上枠ｂは上枠固定枠１４を介してパチンコ島の上部横木ｄの下面に固定された上枠固定装置１１により、確実に固定される。
【００８０】
従って、パチンコ台枠ａの上枠ｂを固定する上枠固定枠１４が決して下動して開くことはない。このため、従来のように上枠固定装置１１が振動で下動してパチンコ台枠ａの上枠ｂから外れることは決して起こりえないので、振動でパチンコ台枠ａの上枠ｂの傾斜がガタつくこともない。
【００８１】
パチンコ台枠ａの上枠ｂ側の傾きを調整したい場合や前後方向に移動したい場合には、上枠固定装置１１の左右のスライド側面板１３ｂのスライド調整長孔１３ｅから突出している固定摘み１２ｆを左右の何れかの方向に回して弛めて、所望だけ前後に移動させた後に固定摘み１２ｆを先ほどと逆向きに回して締めることによって、上枠ｂ側の傾きや前後方向への移動を容易に調整することができる。
【００８２】
また、パチンコ台枠ａの上枠ｂの固定を解除したい場合には、上部スライド盤１３の内側に設けられた係合押圧板１６の下部側を前方に向けて押すことにより、係合ロック溝１５ｄに係合されていた係合押圧板１６の下部の左右に形成された係合突片１６ａはその係合が解除され、係合押圧板１６を押した状態で上枠固定操作レバー１５を下向きに開くことで、固定状態が解除される。
【００８３】
続いて、２基の下枠固定装置２１を使用して、パチンコ台枠ａの下枠ｃをパチンコ島の下部横木ｅへの取り付け作業は次のようにして行われる。
下枠固定装置２１を構成する下部固定取付盤２２の下部横木上面取付板２２ａを図示しない固定具の例えばネジを使用して下部横木ｅの上面に固定する。２基の下枠固定装置２１をパチンコ台枠ａの下枠ｃの中心から左右に等間隔で取り付ける。
【００８４】
このとき、スライド側面板２３ｂの外側面には、下枠固定装置２１をパチンコ台枠ａの下枠ｃにセットする場合のインデックスとなる矢印２３ｇが下向きに取り付けられているので、下向きの矢印２３ｇの頂点をパチンコ台枠ａの下枠ｃの所定位置に合わせることによって、下枠固定装置２１をパチンコ台枠ａの下枠ｃの所定位置に容易にセットできる。
【００８５】
下枠固定装置２１を所定位置にセットした後、下部横木上面取付板２２ａの両側に形成された固定具取付孔２２ｅに図示しないネジを取り付け、ドライバーなどにより、ネジの先端側をパチンコ島の下部横木ｅの上面にネジ込んで、図示しないネジを利用して下枠固定装置２１の下部横木上面取付板２２ａを下部横木ｅの上面に密着固定する。下枠固定装置２１はこの下部横木上面取付板２２ａを介して、パチンコ島の下部横木ｅにネジ込んだネジによってしっかりと固定される。
【００８６】
下枠固定装置２１の下部横木上面取付板２２ａをパチンコ島の下部横木ｅの上面に固定した後、上向きに開いている下枠固定操作レバー２５の操作レバー板２５ａを下向きに押さえる。下向きに押さえると、操作レバー板２５ａに連接されているレバー上面押板２５ｂは、左右のレバー側面板２５ｃの前端側を横断方向に貫通する下枠固定レバーシャフト２５ｄを回動中心として下向きに回動する。
【００８７】
下向きに回動するレバー上面押板２５ｂの前端側は、その下方側に位置する下枠固定爪盤２４の上面板２４ａの中間部分を下向きに押圧する。下枠固定爪盤２４の左右の側面板２４ｂは、その後端側を横断方向に貫通する支軸シャフト２４ｅを回動中心として下向きに回動する。
【００８８】
下枠固定爪盤２４が後端側を回動中心として下向きに回動すると、下枠固定爪盤２４の前端側に下向きに形成された爪２４ｃも下向き回動して、爪２４ｃはその下方のパチンコ台枠ａの下枠ｃの上面に食い込む。爪２４ｃが下枠ｃに食い込むことにより、パチンコ台枠ａの下枠ｃは、食い込んだ爪２４ｃを介してパチンコ島の下部横木ｅの上面に固定された下枠固定装置２１により、確実に固定される。
【００８９】
前端側に爪２４ｃを有する下枠固定爪盤２４の前端側を下向きに回動させて押圧する下枠固定操作レバー２５は、片側のレバー側面板２５ｃに形成された係合ロック溝２５ｅ内に係合ロックピン２５ｆが入り込んで係合される。しかも係合ロックピン２５ｆはバネ２５ｇによって係合ロック溝２５ｅ内に付勢されているため、係合ロックピン２５ｆが係合ロック溝２５ｅから外れることはない。
【００９０】
従って、パチンコ台枠ａの下枠ｃに食い込んだ下枠固定爪盤２４の爪２４ｃが決して上動して開くことはない。このため、従来のように食い込んだカギ状部材が振動で上動してパチンコ台枠ａの下枠ｃから外れることは決して起こりえないので、振動でパチンコ台枠ａの下枠ｃの傾斜がガタつくこともない。
【００９１】
パチンコ台枠ａの下枠ｃ側の傾きを調整したいときには、下枠固定装置２１の後方側に突出している調整摘みシャフト２３ｄを左右の何れかの方向に回すことによって、下枠ｃに食い込んだ爪２４ｃを前端側の下部に有する下枠固定爪盤２４が支軸シャフト２４ｅを通じて連結されている下部スライド盤２３を前後方向にスライドさせることができ、このスライドを通じて下枠ｃ側の傾きを容易に調整することができる。
【００９２】
また、パチンコ台枠ａの下枠ｃの固定を解除したい場合には、下部スライド盤２３のスライド側面板２３ｂの長孔２３ｆから突出する係合ロックピン２５ｆの他端をバネ２５ｇの付勢力に抵抗して後方側に向けて揺動させることにより、係合ロック溝２５ｅに係合されていた係合ロックピン２５ｆはその係合が解除され、係合ロックピン２５ｆの他端を揺動させた状態で下枠固定操作レバー２５の操作レバー板２５ａを上向きに開くことで、下枠固定爪盤２４を上側から押圧するレバー上面押板２５ｂの押圧が外れて固定状態が解除される。
【００９３】
なお、この発明は上記発明を実施するための最良の形態に限定されるものではなく、この発明の精神を逸脱しない範囲で種々の改変をなし得ることは勿論である。
【図面の簡単な説明】
【００９４】
【図１】この発明を実施するための最良の形態を示す全体側断面図である。
【図２】この発明を実施するための最良の形態を示す上枠固定装置の側面図である。
【図３】この発明を実施するための最良の形態を示す上枠固定装置の底面図である。
【図４】この発明を実施するための最良の形態を示す上枠固定装置の平面図である。
【図５】この発明を実施するための最良の形態を示す上枠固定装置の背面図である。
【図６】この発明を実施するための最良の形態を示す下枠固定装置の右側面図である。
【図７】この発明を実施するための最良の形態を示す下枠固定装置の左側面図である。
【図８】この発明を実施するための最良の形態を示す上枠固定装置の平面図である。
【図９】この発明を実施するための最良の形態を示す上枠固定装置の正面図である。
【図１０】この発明を実施するための最良の形態を示す上枠固定装置の背面図である。
【符号の説明】
【００９５】
１１    上枠固定装置
１２    上部固定取付盤
１２ａ  上面板
１２ｂ  側面板
１２ｃ  上部横木後面当接板
１２ｄ  上部横木下面取付板
１２ｅ  スライド用長孔
１２ｆ  固定摘み
１２ｇ  固定具取付孔
１３    上部スライド盤
１３ａ  スライド上面板
１３ｂ  スライド側面板
１３ｃ  上枠後面当接板
１３ｄ  スライドシャフト
１３ｅ  スライド調整長孔
１４    上枠固定枠
１４ａ  上枠下面当接板
１４ｂ  上枠前面当接板
１４ｃ  上枠上面前端側当接板
１４ｄ  Ｕ字状溝
１４ｅ  上枠固定枠支軸シャフト
１５    上枠固定操作レバー
１５ａ  レバー側面板
１５ｂ  レバー底面板
１５ｃ  連結板
１５ｄ  係合ロック溝
１５ｅ  上枠固定レバーシャフト
１６    係合押圧板
１６ａ  係合突片
２１    下枠固定装置
２２    下部固定取付盤
２２ａ  下部横木上面取付板
２２ｂ  基板
２２ｃ  側面板
２２ｄ  軸受板
２２ｅ  固定具取付孔
２３    下部スライド盤
２３ａ  スライド下面板
２３ｂ  スライド側面板
２３ｃ  スライドネジ孔板
２３ｄ  調整摘みシャフト
２３ｅ  シャフト軸
２３ｆ  長孔
２３ｇ  矢印
２４    下枠固定爪盤
２４ａ  上面板
２４ｂ  側面板
２４ｃ  爪
２４ｄ  一部切り欠き隙間
２４ｅ  支軸シャフト
２５    下枠固定操作レバー
２５ａ  操作レバー板
２５ｂ  レバー上面押板
２５ｃ  レバー側面板
２５ｄ  下枠固定レバーシャフト
２５ｅ  係合ロック溝
２５ｆ  係合ロックピン
２５ｇ  バネ
ａ    パチンコ台枠
ｂ    上枠
ｃ    下枠
ｄ    上部横木
ｅ    下部横木
【図１】
2010005300.tif 000003
【図２】
2010005300.tif 000004
【図３】
2010005300.tif 000005
【図４】
2010005300.tif 000006
【図５】
2010005300.tif 000007
【図６】
2010005300.tif 000008
【図７】
2010005300.tif 000009
【図８】
2010005300.tif 000010
【図９】
2010005300.tif 000011
【図１０】
2010005300.tif 000012